(57)【要約】【課題】外壁パネルの縦目地から突出する腕木の基端部を万全にシーリングし、かつ、そのシーリング効果を長期的に維持できるようなシーリング補助材と、そのシーリング補助材を利用したシーリング構造を提案するを提供する。【解決手段】本発明のシーリング補助材１は、腕木Ｂの基端部に挿装可能な縦溝３が形成された底板部２と、底板部２の上縁及び左右両側縁から前方に迫り出す上枠部４及び左右両枠部５と、上記各枠部の前縁から底板部２と略平行に外方に延出された前板部６とを具備する。このシーリング補助材１の縦溝３を、縦目地Ｊから突出した腕木Ｂの基端部に上方から挿装して底板部２を壁面に当接させ、シーリング補助材１の前板部６と壁面との間にシーリング材Ｓａを充填するとともに、底板部２の前面側から、上枠部４及び左右両枠部５と腕木Ｂとの間にシーリング材Ｓｂを充填する。【選択図】図２
2005336715.tif 000002
【特許請求の範囲】
【請求項１】
縦目地から突出する腕木の壁面側基端部に挿装可能な、下方に開口した縦溝が、略中央に形成されてなる底板部と、
上記底板部の上縁及び左右両側縁から前方に略同寸の見込み寸法で迫り出す上枠部及び左右両枠部と、
上記各枠部の前縁から底板部と略平行に外方に延出された前板部とを具備するシーリング補助材。
【請求項２】
請求項１に記載されたシーリング補助材の縦溝を、縦目地から突出した腕木の壁面側基端部に上方から挿装して底板部を壁面に当接させ、該シーリング補助材の前板部と壁面との間にシーリング材を充填するとともに、底板部の前面側から、上枠部及び左右両枠部と腕木との間にシーリング材を充填した腕木周りのシーリング構造。
【発明の詳細な説明】
【技術分野】
【０００１】
本発明は、外壁パネル等の縦目地から突出するように設けられた腕木の基部にシーリング材を充填するに際して、該腕木の周囲に取り付けるシーリング補助材と、該シーリング補助材を用いた腕木周りのシーリング構造に関する。
【背景技術】
【０００２】
窯業系やコンクリート系その他の外壁パネルを建て込んで構成される建物の外壁には、外壁パネルの目地部分における防水性を確保するために、合成ゴム等からなるガスケットや、シリコン樹脂等からなるシーリング材が充填される。このような目地部分のシーリング構造は、例えば特許文献１〜４等に記載されている。
【０００３】
ところで、図６〜図７に示すように、外壁の外側に例えば庇やバルコニーを取り付けるため、それらを支持する腕木状の部材Ｂを外壁パネルＰの縦目地Ｊから突出させて設ける場合がある。例示の形態は、数ミリ厚の鋼板からなる側面視横Ｔ字形の部材Ｂを、隣接する外壁パネルＰの間に挟み込んで、各外壁パネルＰの背面に設けられた形鋼材Ｃにボルトナット締結し、その腕部を外壁パネルＰの縦目地Ｊから壁面に垂直に突出させた形態を示している。
【０００４】
このような腕木状の部材Ｂ（以下、この種の部材を単に「腕木Ｂ」と称する。）が取り付けられた縦目地Ｊには、目地奥までの一様なシーリング処理を施すことが困難になる。そこで、通常は、図示のように、腕木Ｂの壁面側基端部にシーリング材Ｓを断面略三角形状となるように多めに盛り付ける程度のシーリング処理が行われている。
【特許文献１】実開昭６１−１４４１０５号公報
【特許文献２】実開平６−６７６１１号公報
【特許文献３】実開平６−６７６１５号公報
【特許文献４】特開平８−１９３３６８号公報
【発明の開示】
【発明が解決しようとする課題】
【０００５】
しかしながら、上記のようにシーリング材を略三角形状に盛り付ける程度のシーリング処理では、例えば大きな外力や地震によって腕木が動いた場合に、シーリング面が断裂して止水性等が損なわれるおそれがある。かといって、シーリング材を過剰に盛り付けると、外観が見苦しくなるだけでなく、腕木に庇やバルコニー等の構成部材を接合するときの邪魔にもなりかねない。したがって、このような腕木の基端部をコンパクトな構造で確実にシーリングする技術が求められるところであるが、本出願人が調査した限りにおいては、かかるシーリング技術はこれまで特に提案されていない。
【０００６】
そこで本発明は、上記のように外壁パネルの縦目地から突出する腕木の基端部を万全にシーリングし、かつ、そのシーリング効果を長期的に維持できるようなシーリング補助材と、かかるシーリング補助材を利用したシーリング構造を提案するものである。
【課題を解決するための手段】
【０００７】
上記目的を達成するため、本発明のシーリング補助材は、縦目地から突出する腕木の壁面側基端部に挿装可能な、下方に開口した縦溝が、略中央に形成されてなる底板部と、上記底板部の上縁及び左右両側縁から前方に略同寸の見込み寸法で迫り出す上枠部及び左右両枠部と、上記各枠部の前縁から底板部と略平行に外方に延出された前板部とを具備することを特徴とする。
【０００８】
また、本発明の腕木周りのシーリング構造は、上記シーリング補助材の縦溝を、縦目地から突出した腕木の壁面側基端部に挿装して底板部を壁面に当接させ、該シーリング補助材の前板部と壁面との間にシーリング材を充填するとともに、底板部の前面側から、上枠部及び左右両枠部と腕木との間にシーリング材を充填したことを特徴とする。
【０００９】
なお、本発明において、外壁パネルの材質、厚み、取付構造、縦目地の間隔や深さは特に限定されない。また、腕木の材質、断面寸法、壁面からの突出寸法も、シーリング補助材を装着しうる実用的範囲であれば特に限定されるものではない。
【発明の効果】
【００１０】
上述のように構成される本発明のシーリング構造によると、腕木に挿装されたシーリング補助材の前面側から腕木の基端部周りにシーリング材が充填され、シーリング補助材の裏面側から、シーリング補助材と壁面との間にシーリング材が充填されるので、腕木と壁面との間に十分なシール断面を確保することができる。シーリング補助材の裏面側に充填されるシーリング材は、腕木よりも上側の縦目地内に充填されたシーリング材と一体に連続し、腕木より下側の縦目地内に充填されたシーリング材ともつながる。これにより、縦目地から腕木周りにかけて、所定寸法以上のシール断面を連続して確保することができる。また、シーリング補助材の前面側に充填されるシーリング材は、シーリング補助材と腕木との間に、腕木の全周にわたって所定寸法以上のシール断面を確保するのに寄与し、腕木より下側の縦目地内に充填されたシーリング材とも一体に連続する。こうして、腕木周りにシーリング材が隙間なく充填され、当該部分に高い水密性を確保することができる。
【００１１】
シーリング補助材の裏面側に充填されるシーリング材、シーリング補助材の前面側に充填されるシーリングのいずれも、腕木の横断方向の断面において、三方がコ字形に囲まれたスペースに充填されるので、従来のようにシーリング材を横断面略三角形状に盛り付ける処理に比較して、各面への定着性が良好になる。これにより、腕木の振動や移動に対するシーリング材の追従性が格段に向上して、長期的に安定したシーリング効果が得られる。
【００１２】
さらに、このシーリング構造では、シーリング処理される部分の壁面からの突出寸法が、シーリング補助材の厚さ（上枠部及び左右両枠部の見込み寸法）に限定されるので、腕木の先端に各種部材を接合するに際して、ほとんど邪魔にならず、コンパクトな納まりを実現することができる。
【００１３】
また、本発明のシーリング補助材を用いることにより、上記シーリング構造を容易に実施することができる。このシーリング補助材は、一枚の金属板体をプレス成形するなどして安価に製作することが可能である。
【００１４】
なお、本発明においては、腕木を突出させる縦目地の、上下方向の長さや幅は特に限定されない。よって、本発明のシーリング補助材及び腕木周りのシーリング構造は、上下方向に連続する縦目地だけでなく、縦目地に類似した、適当な大きさの孔部から突出している腕木にも適用可能である。
【発明を実施するための最良の形態】
【００１５】
以下、本発明の実施の形態について図を参照して説明する。
【００１６】
図１は本発明の実施形態に係るシーリング補助材１を斜め下方から見た斜視図である。
【００１７】
このシーリング補助材１は、一枚の金属板体をプレス成形するか、あるいは適度な剛性を有する合成樹脂を一体成形するなどして得られる継ぎ目のない薄肉の部材であって、正面から見ると略矩形の形状をなしている。
【００１８】
正面から見て中央には、矩形の底板部２が設けられ、この底板部２の中央には、下方に開口する縦溝３が形成されている。この縦溝３は、その高さが、少なくとも縦目地Ｊから突出する腕木Ｂ（図２〜図４参照）の高さよりは大きく、その幅が腕木Ｂの幅よりも微小寸法だけ大きくなるように形成されている。この縦溝３から底板部２の上縁及び左右両側縁までの見付け寸法は、概ね８ｍｍ乃至１５ｍｍの範囲となるように形成されている。
【００１９】
底板部２の上縁及び左右両側縁には、前方に迫り出す上枠部４及び左右両枠部５が設けられている。上枠部４の見込み寸法と左右両枠部５の見込み寸法とは、概ね７ｍｍ乃至１２ｍｍの範囲で揃えられている。
【００２０】
上記各枠部の前縁には、底板部２と略平行に外方に延出する前板部６が設けられている。前板部６の上部及び左右両側部における見付け寸法は、概ね８ｍｍ乃至１８ｍｍの範囲となるように形成されている。
【００２１】
図２〜図４は、上記シーリング補助材１を利用した腕木周りのシーリング構造を示す。
【００２２】
例示の部位は図６〜図７に示したものと同じであって、隣接する外壁パネルＰの縦目地Ｊから、鋼板製の腕木Ｂが壁面に対して垂直に突出している。シーリング補助材１は、その底板部２に形成された縦溝３を腕木Ｂに上方から挿装するようにして、腕木Ｂの壁面側基端部に装着される。ここで、腕木Ｂの底板部２が外壁パネルＰの表面から離れてしまう場合は、底板部２の裏面に両面テープを貼着するなどして外壁パネルＰの表面に仮止めしてもよい。
【００２３】
そして、シーリング補助材１の周囲から、前板部６の裏側にシーリング材Ｓａを注入し、前板部６と、上枠部４または左右の枠部と、外壁パネルＰの表面との間に形成された断面コ字形のスペースにシーリング材Ｓａを充填する。また、シーリング補助材１の前面側から底板部２に向かってシーリング材Ｓｂを注入し、上枠部４または左右の枠部と、底板部２と、腕木Ｂとの間に形成された断面コ字形のスペースにシーリング材Ｓｂを充填する。
【００２４】
これにより、シーリング補助材１の裏面側に充填されるシーリング材Ｓａは、腕木Ｂよりも上側の縦目地Ｊ内に充填されたシーリング材Ｓｃと一体に連続し、腕木Ｂより下側の縦目地Ｊ内に充填されたシーリング材Ｓｄともつながる。また、シーリング補助材１の前面側に充填されるシーリング材Ｓｂは、シーリング補助材１と腕木Ｂとの間に、腕木Ｂの全周にわたって所定寸法以上のシール断面を確保するのに寄与し、腕木Ｂより下側の縦目地Ｊ内に充填されたシーリング材Ｓｄとも一体に連続する。こうして、腕木Ｂの周囲、及びシーリング補助材１と外壁パネルＰの表面との間にシーリング材Ｓｂ、Ｓａが隙間なく充填されることにより、腕木Ｂと、その上下に位置する縦目地Ｊとの間に、十分なシール断面が連続して形成され、当該部分に高い水密性を確保することができる。さらに、このシール断面は、腕木Ｂ、シーリング補助材１、外壁パネルＰのいずれに対しても定着性に優れるものとなり、腕木Ｂの振動や移動に対して優れた追従性を発揮するので、長期的にも安定したシーリング効果が得られる。
【００２５】
図５は、本発明の他の実施形態を示す。例示の形態は、シーリング補助材１の正面視形状を若干変形させたもので、（ａ）は、底板部２の上部、上枠部４、前板部６の上部を略山形に形成したものであり、（ｂ）は同じく半円形状に形成したものである。このように、シーリング補助材１の頂部から左右に下降傾斜する正面視形状を採用すると、この傾斜に沿って雨水が流下しやすくなるので、止水性が向上する。
【図面の簡単な説明】
【００２６】
【図１】本発明の実施形態に係るシーリング補助材の斜視図である。
【図２】図１のシーリング補助材を用いた腕木周りのシーリング構造の実施形態を示す斜視図である。
【図３】同じく、縦断面図である。
【図４】同じく、横断面図である。
【図５】本発明の他の実施形態に係るシーリング補助材の斜視図である。
【図６】従来の腕木周りのシーリング構造を示す縦断面図である。
【図７】同じく、横断面図である。
【符号の説明】
【００２７】
１    シーリング補助材
２    底板部
３    縦溝
４    上枠部
５    左右枠部
６    前板部
Ｊ    縦目地
Ｂ    腕木
Ｓａ  シーリング材
Ｓｂ  シーリング材
【図１】
2005336715.tif 000003
【図２】
2005336715.tif 000004
【図３】
2005336715.tif 000005
【図４】
2005336715.tif 000006
【図５】
2005336715.tif 000007
【図６】
2005336715.tif 000008
【図７】
2005336715.tif 000009